(57)【要約】【課題】簡素な構造で、ランプの意匠性を向上させ、バルブ発熱に対する耐熱性を向上させたバルブシェード及びそれを備えたランプを提供する。【解決手段】自動車用ランプ１のバルブ６を遮蔽するバルブシェード１０において、バルブの先端の前方に配置したシェード本体部１１と、シェード本体部からバルブ側に延設した複数の長片１２と、シェード本体部から延出しランプのリフレクタ５と連結する取付足１３とを備え、各長片１２を形状記憶合金により構成し、バルブの非点灯時には各長片がバルブを覆い、バルブの点灯時には各長片がバルブの発熱によって変形してバルブが現れるように構成する。【選択図】図３
2007141690.tif 000002
【特許請求の範囲】
【請求項１】
自動車用ランプのバルブを遮蔽するバルブシェードにおいて、
上記バルブの前方に配置されるシェード本体部と、該シェード本体部からバルブ側に向かって設けた複数の片と、上記シェード本体部と自動車用ランプのリフレクタとを連結する取付部と、を備え、
各片が、形状記憶合金により構成されていて、
上記バルブの非点灯時には、上記各片が上記バルブを覆い、
上記バルブの点灯時には、上記各片が上記バルブの発熱によって変形し、上記バルブが現れることを特徴とする、バルブシェード。
【請求項２】
前記各片が花びら状に形成され、前記バルブの発熱によって前記シェード本体部に対して折れ曲がるように構成されており、
バルブ非点灯時には、各片が前記シェード本体部から展開して前記バルブを隠し、
バルブ点灯時には、各片がバルブの発熱によって前記シェード本体部に対して屈曲し、該バルブが現れることを特徴とする、請求項１に記載のバルブシェード。
【請求項３】
自動車用ランプのバルブを遮蔽するバルブシェードにおいて、
アウターレンズの外面に配置されるシェード本体部と、
上記シェード本体部に設けられ上記バルブの非点灯時に上記アウターレンズを覆う複数の片と、を備え、
各片が、形状記憶合金により構成されていて、
上記バルブの点灯時に、上記各片が上記バルブの発熱によって変形して上記アウターレンズの外面を露呈させることを特徴とする、バルブシェード。
【請求項４】
前記各片が、加熱時に長さ方向に縮むことを特徴とする、請求項１又は３に記載のバルブシェード。
【請求項５】
請求項１乃至４の何れかに記載のバルブシェードを備えた、自動車用ランプ。
【発明の詳細な説明】
【技術分野】
【０００１】
本発明は、車両などに使用されるヘッドランプのバルブを隠す金属製カバー、即ちバルブシェード及びそれを備えた自動車用ランプに関する。
【背景技術】
【０００２】
車両用のランプとして、透明感を創出するためにレンズカットが無い透明なアウターレンズを採用し、意匠性を向上させたものがある。
図８にこの種の従来のランプ１００の断面構造を示す。図において、従来のランプ１００は、ドーム状のランプハウジング１０１とその前面に被着するアウターレンズ１０２とで画成された灯室１０３内に半球形状のリフレクタ１０４を配置し、このリフレクタ１０４の中央に形成された穴部１０４Ａにバルブ１０５を配置している。
【０００３】
そして、アウターレンズ１０２がクリア、即ち透明又は半透明であることから、バルブ６が直接視認されるのを避けるために、バルブ１０５の前方にはバルブシェード１１０が配置されている。このバルブシェード１１０は、一般に、リフレクタ１０４に端部を固着して取り付けられており、バルブ１０５の先端部から僅かな間隔をあけてバルブ前方に位置するように配置されている。
【０００４】
このバルブシェード１１０は、図９に示すように、バルブ１０５の前方位置に配置されるシェード本体部１１１と、シェード本体部１１１からバルブ１０５側に延設した複数の長片１１２と、シェード本体部１１１からリフレクタ１０４に向けて延設したシェード取付足１１３と、を備えている。なお、シェード本体部１１１は、例えば、輪郭が円状に形成されており、この円周に沿って各長片１１２が後方に突出するように環状に並設されていて、これらの複数の長片１１２がバルブ１０５の先端から中間程度までの側面を覆うようになっている。
【０００５】
このように、バルブの前方にバルブシェードを配置したランプが、特許文献１に開示されている。
【特許文献１】特開２００３−２９７１３０号公報
【発明の開示】
【発明が解決しようとする課題】
【０００６】
しかしながら、図８に示すランプ１００においては、バルブ１０５が発光するとバルブシェード１１０の長片１１２が加熱され、その輻射熱がリフレクタ１０４のα部分（図８参照）に伝わり、その熱によってリフレクタ１０４自体が変形してしまうことがある。
また、シェード取付足１１３を介しても、リフクレタ１０４のβ部分（図８参照）にシェード１１０から伝導熱が伝わり、その熱によってもリフクレタ１０４が変形することがある。
【０００７】
このようなリフクレタ１０４の熱変形を回避するために、図１０に示すように、シェード１１０を改良して、バルブ１０５に近接する長片１１２を廃止すると、バルブ１０５からの熱の影響を低減することができることにはなるが、バルブ１０５が外部に現れることになり、ランプの意匠性を低減させてしまう。
【０００８】
本発明は、このような事情を鑑みて創作されたものであり、簡素な構造で、ランプの見栄えとバルブ発熱に対する耐熱性を考慮したバルブシェード及びそれを備えたランプを提供することを目的とする。
【課題を解決するための手段】
【０００９】
上記目的を達成するために、本発明は、自動車用ランプのバルブを遮蔽するバルブシェードにおいて、バルブの前方に配置されるシェード本体部と、シェード本体部からバルブ側に向かって設けた複数の片と、シェード本体部と自動車用ランプのリフレクタとを連結する取付部と、を備え、各片が、形状記憶合金により構成されていて、バルブの非点灯時には各片がバルブを覆い、バルブの点灯時には、各片がバルブの発熱によって変形し、バルブが現れることを特徴としている。
【００１０】
さらに、本発明のバルブシェードにおいては、前記各片が花びら状に形成され、バルブの発熱によってシェード本体部に対して折れ曲がるように構成されており、バルブ非点灯時には、各片がシェード本体部から展開してバルブを隠し、バルブ点灯時には、各片がバルブの発熱によってシェード本体部から屈曲して、バルブが現れることを特徴する。
【００１１】
また、上記目的を達成するために、本発明は、自動車用ランプのバルブを遮蔽するバルブシェードにおいて、アウターレンズの外面にシェード本体部を配置し、このシェード本体部に設けられていてバルブの非点灯時にアウターレンズを覆う複数の片を備え、各片を形状記憶合金により構成し、バルブの点灯時に、各片をバルブの発熱によって変形させてアウターレンズの外面を露呈させることを特徴としている。各片は、例えば加熱時に長さ方向に収縮する。
【発明の効果】
【００１２】
このように、本発明のバルブシェードによれば、形状記憶合金で構成された片の伸縮や開閉により、バルブの露呈度合いが調節される。それに伴って、バルブ点灯時には、片をバルブから離すことで、バルブシェードに生ずる輻射熱を低減できてリフレクタの変形を防止できる。また、バルブ非点灯時には片がバルブを隠すので、ランプの意匠性を向上することができる。
【発明を実施するための最良の形態】
【００１３】
以下、図面に基づいて本発明の実施形態を説明する。
図１は、本発明の実施形態に係るランプ１を示す断面図である。ランプ１は、ドーム状のランプハウジング２とその前面に被着するアウターレンズ３とで画成された灯室４内に半球形状のリフレクタ５を配置し、このリフレクタ５の中央に形成された穴部５Ａにバルブ６を配置している。さらに、バルブシェード１０が、バルブ６の先端から中間程度までを覆うように設けられている。
【００１４】
バルブシェード１０は、バルブ６の前方位置に配置されるシェード本体部１１と、シェード本体部１１からバルブ６側に延設した複数の長片１２と、シェード本体部１１からリフレクタ６に向けて延設したシェード取付部としての取付足１３と、を備えている。このシェード本体部１１は、例えば輪郭が円状に形成されており、この円周に沿って各長片１２が後方に突出するように環状に並設されていて、これらの複数の長片１２がバルブ６の先端から中間程度までの側面を覆うようになっている。なお、シェード取付足１３は、先端１３Ａ部をリフレクタ５に形成された取付座５Ｂにネジ１５により固定されている。
【００１５】
このような構造は従来のランプ１００と同様であるが、本発明の実施形態に係るランプ１においては、バルブシェード１０の各長片１２が形状記憶合金により構成されていて、加熱されると変形し、各長片１２がバルブ６から離れることを特徴としている。
例えば、各長片１２は、熱が加えられると長さ方向に縮むように変形する。長片１２として、例えばＴｉ−Ｎｉの形状記憶処理を被した合金を採用できる。
【００１６】
このように構成された本発明の実施形態に係るランプ１の作用について説明する。
先ず、日中のバルブ６の非点灯時においては、バルブシェード１０の各長片１２がバルブ６の大部分を覆い、車外から灯室４内を覗いても、バルブ６がバルブシェード１０によって遮蔽されている。
【００１７】
一方、夜間において、バルブ６を点灯し始めると、各長片１２は、バルブ６からの熱を受けて、図２に示すように、シェード本体部１１に向けて縮み始める。そして、バルブ６からの熱によってさらに各長片１２が加熱されると、例えば図３に示すように、バルブ６の先端及び中間部位を覆っていた各長片１２がシェード本体部１１に幾重にも折り畳まれて、バルブ６の先端部が露呈する。
【００１８】
このように、本発明の実施形態に係るランプ１によれば、バルブ点灯時において、バルブシェード１０の各長片１２がバルブ６から十分に離れることで、バルブシェード１０，その長片１２に伝わる熱を十分に低減することができる。よって、リフレクタ５に影響する輻射熱や伝導熱も十分に低減することになって、リフレクタ５の変形を防止することができる。また、バルブ非点灯時は、バルブシェード１０がバルブ６自体を覆うことから、ランプの見栄えを向上することができる。
【００１９】
次に、本発明の実施形態に係るランプの第１の応用例を説明する。
図４は、第１応用例のランプ１Ａにおいて、バルブ６が非点灯時の状態を示している。第１応用例に係るランプ１Ａは、前述のランプ１と異なり、バルブシェード１０Ａの形状が異なる。具体的には、第１応用例のランプ１Ａにおいては、前述のランプ１における長片が花びら状に形成され、また、シェード本体部１１が花芯のデザインで形成されて、全体として花の意匠を構成している。
【００２０】
この花ビラ状の長片１２Ａも形状記憶合金で構成されており、加熱すると以下の様に動作する。
先ず、バルブ非点灯時には、形状記憶合金で作られた各花びら状の長片１２Ａは円盤状のシェード本体部１１と平行に花が開花したように展開する。そして、この展開状態からバルブ６が点灯すると、バルブ６からの熱により、各花びら状の長片１２Ａが、図５に示すように、シェード本体部１１との付け根部分で屈曲する。なお、第１応用例における長片１２Ａは、前述のランプ１の長片１２と同様に、加熱されると、長さ方向に縮むように構成されていてもよい。このように、日中は花びら状の長片１２Ａが開き、バルブ点灯時には配光に影響が無いように花びら状の長片１２Ａが閉じる構造によって、ランプが斬新な意匠を呈することになる。
【００２１】
次に、本発明の実施形態に係るランプの第２応用例を説明する。
図６は、第２応用例のランプ１Ｂを示す斜視図である。この図に示すように、第２応用例は、前述の実施形態及び第１応用例と異なり、バルブシェード１０Ｂを灯室４内に配置する代わりに、アウターレンズ３の外面に被着させたことを特徴としている。
【００２２】
具体的には、アウターレンズ３の外側の面の中央位置で、縦長のシェード本体部１１Ｂをベルト１７を介してランプハウジング２にビス止めにより固定し、上記シェード本体部１１Ｂには、その両縁からアウターレンズ３の外面に沿って水平に延びる長片１２Ｂを上下多段に設けている。
【００２３】
なお、この長片１２Ｂは、前述の実施形態における長片１２と同様に、形状記憶合金により構成されており、熱が加わると縮むように形状記憶処理が施されている。そして、ランプの点灯時、長片１２Ｂが加熱収縮した際には、例えば、シェード本体部１１Ｂの裏側に隠れるように構成される。
【００２４】
このように構成された第２応用例のランプ１Ｂによれば、バルブ６が点灯すると、アウターレンズ３が加熱され、その熱が長片１２Ｂに伝わる。よって、長片１２Ｂが縮むことで、図７に示すように、アウターレンズ３の表面及び内部が露呈することになり、開いた部位からバルブ６から光がランプ外に照射される。
【００２５】
一方、バルブ６の非点灯時においては、アウターレンズ３の外面を長片１２Ｂが覆うことから、バルブシェード１０Ｂによりランプ６が保護される。即ち、飛石などがアウターレンズ３に直に衝突して、アウターレンズ３が破損することを防止できると共に、非点灯時にはランプが見えない斬新な意匠を創出することができる。
【００２６】
このように、本発明のランプ１，１Ａ，１Ｂでは、バルブシェード１０，１０Ａ，１０Ｂに形状記憶合金で構成された長片１２，１２Ａ，１２Ｂの伸縮や開閉により、バルブ６の露呈度合いを調節する。それに伴って、バルブ点灯時には、長片１２，１２Ａ，１２Ｂをバルブ６から離すことで、バルブシェード１０，１０Ａ，１０Ｂに生ずる輻射熱を低減できリフレクタ５の変形を防止できる。また、バルブ非点灯時には、長片１２，１２Ａ，１２Ｂがバルブ６を隠すので、ランプの意匠性を向上できる。
【００２７】
以上説明したが、本発明はその趣旨を逸脱しない範囲において様々な形態で実施することができる。例えば、上記ランプ１，１Ｂにおいては、バルブシェード１０，１０Ｂの長片１２，１２Ｂが伸縮する場合を例示したが、そのような伸縮による変形に限定されるものではなく、バルブ点灯時の加熱により長片１２，１２Ｂがコイル状に巻回して縮まるように変形してもよい。
【図面の簡単な説明】
【００２８】
【図１】本発明の実施形態に係るランプを示す断面図である。
【図２】本発明の実施形態に係るランプを示す断面図である。
【図３】本発明の実施形態に係るランプを示す断面図である。
【図４】本発明のランプの第１応用例を示す斜視図である。
【図５】本発明のランプの第１応用例を示す斜視図である。
【図６】本発明のランプの第２応用例を示す斜視図である。
【図７】本発明のランプの第２応用例を示す斜視図である。
【図８】従来のランプを示す断面図である。
【図９】従来のバルブシェードを示す側面図である。
【図１０】従来のバルブシェードを示す側面図である。
【符号の説明】
【００２９】
１，１Ａ，１Ｂ  ランプ
２  ランプハウジング
３  アウターレンズ
４  灯室
５  リフレクタ
５Ａ  穴部
５Ｂ  取付座
６  バルブ
１０，１０Ａ，１０Ｂ  バルブシェード
１１  シェード本体部
１２，１２Ａ，１２Ｂ  長片
１３  シェード取付足
１５  ネジ
１７  ベルト
【図１】
2007141690.tif 000003
【図２】
2007141690.tif 000004
【図３】
2007141690.tif 000005
【図４】
2007141690.tif 000006
【図５】
2007141690.tif 000007
【図６】
2007141690.tif 000008
【図７】
2007141690.tif 000009
【図８】
2007141690.tif 000010
【図９】
2007141690.tif 000011
【図１０】
2007141690.tif 000012